(57)【特許請求の範囲】
【請求項１】
レンズを保持するレンズ保持筒と、前記レンズ保持筒が偏芯調整された状態で固定される支持筒と、前記レンズ保持筒の外周上に配置された中間リングとを有し、前記中間リングは、前記支持筒と前記レンズ保持筒との間に形成された周方向に延びる隙間に挿入され、該中間リングの径方向における厚みが光軸方向における一端側から他端側に向かって小さくなる複数のくさび状部を有し、
前記中間リングは、前記複数のくさび状部が連結部により周方向に連結された一体のリング形状を有し、
前記支持筒および前記レンズ保持筒は、
前記レンズ保持筒の偏芯調整時に、前記レンズ保持筒の前記支持筒に対する光軸方向への移動を当接により阻止しながら、前記レンズ保持筒の前記支持筒に対する光軸直交方向への移動を許容するための偏芯調整ガイド部と、
前記レンズ保持筒の偏芯調整後における前記レンズ保持筒および前記支持筒の隙間に応じて前記中間リングを光軸直交方向に対して傾けた際に、前記くさび状部の内径面及び外径面にそれぞれ当接することが可能なリング当接部とを有し、
前記くさび状部の内径面及び外径面を前記リング当接部に当接させた状態で、前記中間リングと前記支持筒と前記レンズ保持筒とにおけるそれぞれの当接する部分が接着固定または溶着固定されており、
前記くさび状部の内径面に当接する前記リング当接部が、前記中間リングの傾き中心を中心とする球面形状に形成されていることを特徴とするレンズ鏡筒。
【請求項２】
レンズを保持するレンズ保持筒と、前記レンズ保持筒が偏芯調整された状態で固定される支持筒と、前記レンズ保持筒の外周上に配置された中間リングとを有し、前記中間リングは、前記支持筒と前記レンズ保持筒との間に形成された周方向に延びる隙間に挿入され、該中間リングの径方向における厚みが光軸方向における一端側から他端側に向かって小さくなる複数のくさび状部を有し、
前記中間リングは、前記複数のくさび状部が連結部により周方向に連結された一体のリング形状を有し、
前記支持筒および前記レンズ保持筒は、
前記レンズ保持筒の偏芯調整時に、前記レンズ保持筒の前記支持筒に対する光軸方向への移動を当接により阻止しながら、前記レンズ保持筒の前記支持筒に対する光軸直交方向への移動を許容するための偏芯調整ガイド部と、
前記レンズ保持筒の偏芯調整後における前記レンズ保持筒および前記支持筒の隙間に応じて前記中間リングを光軸直交方向に対して傾けた際に、前記くさび状部の内径面及び外径面にそれぞれ当接することが可能なリング当接部とを有し、
前記くさび状部の内径面及び外径面を前記リング当接部に当接させた状態で、前記中間リングと前記支持筒と前記レンズ保持筒とにおけるそれぞれの当接する部分が接着固定または溶着固定されており、
前記くさび状部の外径面が凸球面形状に形成されているとともに、前記くさび状部の外径面に当接する前記リング当接部が、前記凸球面形状に対応する凹球面形状に形成されていることを特徴とするレンズ鏡筒。
【請求項３】
レンズを保持するレンズ保持筒と、前記レンズ保持筒が偏芯調整された状態で固定される支持筒と、前記レンズ保持筒の外周上に配置された中間リングとを有し、前記中間リングは、前記支持筒と前記レンズ保持筒との間に形成された周方向に延びる隙間に挿入され、該中間リングの径方向における厚みが光軸方向における一端側から他端側に向かって小さくなる複数のくさび状部を有し、
前記中間リングは、前記複数のくさび状部が連結部により周方向に連結された一体のリング形状を有し、
前記支持筒および前記レンズ保持筒は、
前記レンズ保持筒の偏芯調整時に、前記レンズ保持筒の前記支持筒に対する光軸方向への移動を当接により阻止しながら、前記レンズ保持筒の前記支持筒に対する光軸直交方向への移動を許容するための偏芯調整ガイド部と、
前記レンズ保持筒の偏芯調整後における前記レンズ保持筒および前記支持筒の隙間に応じて前記中間リングを光軸直交方向に対して傾けた際に、前記くさび状部の内径面及び外径面にそれぞれ当接することが可能なリング当接部とを有し、
前記くさび状部の内径面及び外径面を前記リング当接部に当接させた状態で、前記中間リングと前記支持筒と前記レンズ保持筒とにおけるそれぞれの当接する部分が接着固定または溶着固定されており、
前記レンズ保持筒は、該レンズ保持筒の外周面に、光軸方向に対して傾斜した治具受け面を有し、
前記レンズ保持筒の偏芯調整に用いられる治具が前記治具受け面を押圧することで、前記レンズ保持筒が光軸方向における前記支持筒側に片寄せされ、前記レンズ保持筒が光軸直交方向に移動することを特徴とするレンズ鏡筒。
【請求項４】
請求項１から３のいずれか一項に記載のレンズ鏡筒を備えたことを特徴とする光学機器。
【発明の詳細な説明】
【０００１】
【発明の属する技術分野】
本発明は、撮影装置や観察装置等の光学機器に用いられるレンズ鏡筒に関するものである。
【０００２】
【従来の技術】
例えば、動画や静止画の取り込みを光学系のピント面上に配置されたＣＣＤ等の固体撮像素子を用いて行なうビデオカメラ、デジタルスチルカメラ等の撮影装置や、光学系により得られた被写体の像を肉眼で観察する双眼鏡または天体望遠鏡等の観察装置には、レンズ鏡筒が組み込まれる。
【０００３】
従来、レンズや機械部品の単部品での形状精度や各部品の組み合わせ精度により達成可能な大きさもしくは光学性能を有するレンズ鏡筒に対して、よりいっそうの小型化や高性能化を目的に、単レンズやレンズ群の偏芯調整機構や調整方法が種々提案されている。
【０００４】
例えば、実開平５−３６４１０号公報にて提案のレンズ鏡筒では、レンズの外周面と、これを保持するレンズ保持部材の内周面との間に適当なガタを設け、外周方向からレンズ保持部材に複数の調整ネジをねじ込んでレンズに当接させることにより偏芯調整を行なっている。
【０００５】
また、特開平６−２６５７６６号公報には、２つのレンズ系に光束を通し、その結像結果を画像処理して調整治具にて偏芯調整を行ない、調整された位置でレンズを接着固定する方法が提案されている。
【０００６】
【発明が解決しようとする課題】
しかしながら、上記従来例において、上記実開平５−３６４１０号公報にて提案のレンズ鏡筒では、偏芯調整機構がレンズ鏡筒に組み込まれているので、レンズ鏡筒がラジアル方向に大きくなってしまうという問題がある。また、レンズ保持部材をプラスチック製とした場合は、ネジの掛かりを金属製のレンズ保持部材に比べてより長くとる必要があるので、レンズ鏡筒がさらに大きくなってしまう。
【０００７】
しかも、複数点で直接レンズを支持しているので、調整によってレンズ面が歪んでしまったり、重いレンズの場合にはレンズにかかる衝撃荷重によりレンズが破損してしまったり、調整位置がずれてしまったりするという問題もある。
【０００８】
一方、特開平６−２６５７６６号公報にて提案のものでは、外付けの調整治具により偏芯調整を行なうので、レンズ鏡筒の大きさに対しては有利であるが、偏芯調整されたレンズは光軸方向および偏芯調整方向共に接着剤のみで固定されているので、衝撃荷重がかかった場合や温湿度環境下または急激な温度変化などの外的要因により接着剤の軟化や脆化、接着面の剥がれなどが生じて、レンズ位置がずれてしまうという問題がある。
【０００９】
そこで本発明は、少ないスペースで位置信頼性の高い偏芯調整機構を持ったレンズ鏡筒を提供することを目的としている。
【００１０】
【課題を解決するための手段】
上記の目的を達成するために、本発明であるレンズ鏡筒は、レンズを保持するレンズ保持筒と、レンズ保持筒が偏芯調整された状態で固定される支持筒と、レンズ保持筒の外周上に配置された中間リングとを有する。中間リングは、支持筒とレンズ保持筒との間に形成された周方向に延びる隙間に挿入され、中間リングの径方向における厚みが光軸方向における一端側から他端側に向かって小さくなる複数のくさび状部を有する。中間リングは、複数のくさび状部が連結部により周方向に連結された一体のリング形状を有する。支持筒およびレンズ保持筒は、レンズ保持筒の偏芯調整時に、レンズ保持筒の前記支持筒に対する光軸方向への移動を当接により阻止しながら、レンズ保持筒の支持筒に対する光軸直交方向への移動を許容するための偏芯調整ガイド部と、レンズ保持筒の偏芯調整後におけるレンズ保持筒および支持筒の隙間に応じて中間リングを光軸直交方向に対して傾けた際に、くさび状部の内径面および外径面にそれぞれ当接することが可能なリング当接部とを有する。そして、くさび状部の内径面および外径面をリング当接部に当接させた状態で、中間リングと支持筒とレンズ保持筒とにおけるそれぞれの当接する部分が接着固定または溶着固定されている。
【００１１】
これにより、レンズ保持筒は光軸方向については偏芯調整ガイド部により、また光軸直交方向（偏芯調整方向）には中間リング（くさび状部）とリング当接部との当接により支持筒に対して機械的に位置決めされる。このため、容易に偏芯調整状態を維持したまま支持筒に対してレンズ保持筒を接着固定又は溶着固定することが可能となるとともに、接着固定後又は溶着固定後において衝撃や環境変化等により偏芯調整状態がずれにくいレンズ鏡筒とすることが可能となる。
【００１２】
そして、本願第１の発明では、中間リング（くさび状部）の内径面及び外径面とリング当接部との安定した当接状態を確保するために、くさび状部の内径面に当接するリング当接部を、中間リングの傾き中心を中心とする球面形状に形成したことを特徴とする。
【００１３】
また、本願第２の発明では、くさび状部の外径面を凸球面形状に形成するとともに、くさび状部の外径面に当接するリング当接部を、上記凸球面形状に対応する凹球面形状に形成したことを特徴とする。
【００１５】
さらに、本願第３の発明では、偏芯調整中におけるレンズ保持筒の光軸方向へのがたつきを防止して、より正確な偏芯調整を可能とするために、レンズ保持筒は、該レンズ保持筒の外周面に、光軸方向に対して傾斜した治具受け面を有し、該レンズ保持筒の偏芯調整に用いられる治具が治具受け面を押圧することで、レンズ保持筒が光軸方向における支持筒側に片寄せされ、レンズ保持筒が光軸直交方向に移動することを特徴とする。
【００１６】
【発明の実施の形態】
図１には、本発明の実施形態であるレンズ鏡筒の構成を示している。このレンズ鏡筒は、ビデオカメラやデジタルカメラやフィルムカメラといった撮影装置のほか、双眼鏡や天体望遠鏡とった観察装置等の光学機器に組み込まれるものであり、物体（被写体）側から順に凸凹凸凸となる４群構成の変倍光学系を有するレンズ鏡筒である。
【００１７】
この図において、Ｌ１は偏芯調整される第１レンズ群、Ｌ２は光軸方向に移動することにより変倍動作を行なう第２レンズ群、Ｌ３は光軸直交面内で移動していわゆるぶれ補正動作を行なう第３レンズ群、Ｌ４は光軸方向に移動することにより合焦動作を行なう第４レンズ群である。
【００１８】
１は第１レンズ群Ｌ１を保持する前玉鏡筒ユニット、２は第２レンズ群Ｌ２を保持する移動枠、３は第３レンズ群Ｌ３を光軸直交面内で移動可能に保持するシフトユニット、４は第４レンズ群Ｌ４を保持する移動枠、５はＣＣＤ等の撮像素子（図示せず）が取り付けられる後部鏡筒である。
【００１９】
６，７はガイドバーであり、前玉鏡筒ユニット１と後部鏡筒５とにより位置決め固定されている。また、８はガイドバーであり、シフトユニット３と後部鏡筒５とにより位置決め固定されている。
【００２０】
移動枠２はガイドバー６，７により光軸方向に移動可能に支持され、移動枠４はガイドバー６，８により光軸方向に移動可能に支持されている。シフトユニット３は後部鏡筒５に位置決めの上、ビス３本により前方からビス締め固定されている。
【００２１】
９は光学系の開口径を変化させる絞り装置であり、６枚の絞り羽根を移動させて開口径を変化させる、いわゆる虹彩絞りである。この絞り装置９は、ビス３本により前方からシフトユニット３にビス締め固定されている。
【００２２】
後部鏡筒５は前玉鏡筒ユニット１に位置決めの上、ビス３本により後方からビス締め固定されている。１０は第４レンズ群Ｌ４を光軸方向に移動させて合焦動作を行なわせるためのリードスクリューであり、前後に軸受け形状を持ち、後部に多極に着磁されたローターマグネット１０ａが固定されている。
【００２３】
１１はローターマグネット１０ａを回転駆動するためのステッピングモータステータユニットである。リードスクリュー１０はシフトユニット３とステッピングモータステータユニット１１に設けられた軸受け部で支持されている。リードスクリュー１０は移動枠４に取り付けられたラック４ａと噛み合っており、ローターマグネット１０ａの回転により第４レンズ群Ｌ４を移動させる。また、ねじりコイルバネ４ｂの付勢力により、移動枠４、ガイドバー６，８、ラック４ａおよびリードスクリュー１０間のそれぞれのガタが片寄せされている。
【００２４】
１２は第２レンズ群Ｌ２を光軸方向に移動させて変倍動作を行なわせるためのリードスクリューであり、前後に軸受け形状を持ち、後部に多極に着磁されたローターマグネット１２ａが固定されている。
【００２５】
１３はローターマグネット１２ａを回転駆動するためのステッピングモータステータユニットである。リードスクリュー１２はシフトユニット３とステッピングモータステータユニット１３に設けられた軸受け部で支持されている。リードスクリュー１２は移動枠２に取り付けられたラック２ａと噛み合っており、ローターマグネット１２ａの回転により第２レンズ群Ｌ２を移動させる。
【００２６】
また、ねじりコイルバネ２ｂの付勢力により、移動枠２、ガイドバー６，７、ラック２ａおよびリードスクリュー１２間のそれぞれのガタが片寄せされている。
【００２７】
ステッピングモータステータユニット１１，１３はそれぞれ、後部鏡筒５に２本のビスで固定されている。
【００２８】
１４はフォーカスリセットスイッチであり、フォトインタラプタにより構成されている。このフォーカスリセットスイッチ１４は、移動枠４に形成された遮光部４ｃが光軸方向に移動して発光部と受光部との間に対して挿脱すると、これを光学的に検出して電気信号を出力し、不図示の制御回路に第４レンズ群Ｌ４が基準位置に位置しているか否かを検出させる。フォーカスリセットスイッチ１４は、基板を介してビスで後部鏡筒５に固定されている。
【００２９】
１５はズームリセットスイッチであり、フォトインタラプタにより構成されている。このズームリセットスイッチ１５は、移動枠２に形成された遮光部２ｃが光軸方向に移動して発光部と受光部との間に対して挿脱すると、これを光学的に検出して電気信号を出力し、不図示の制御回路に第２レンズ群Ｌ２が基準位置に位置しているか否かを検出させる。このズームリセットスイッチ１５は、基板を介してビスで前玉鏡筒ユニット１に固定されている。
【００３０】
図２には、前玉鏡筒ユニット１を分解して示している。２１は偏芯調整される第１レンズ群Ｌ１を保持している前玉鏡筒（レンズ保持筒）、２２は固定リング（中間リング）、２３は固定筒（支持筒）である。
【００３１】
次に、上記前玉鏡筒ユニットの各構成部品の形状および関係について、図３（ａ），（ｂ）も併せ用いて説明する。なお、図３（ａ），（ｂ）は第１レンズ群Ｌ１を保持する前玉鏡筒２１が、固定筒２３に対して略同軸に偏芯調整された後に固定リング２２により位置を決められている図である。
【００３２】
図２および図３（ａ），（ｂ）において、２３ａ，２３ｂ，２３ｃは固定筒２３の前端部における周方向３カ所に設けられたフランジ部、２１ａ，２１ｂ（図示せず），２１ｃは前玉鏡筒２１の後端部における周方向３カ所に設けられたフランジ部である。
【００３３】
図３（ａ）はフランジ部２３ａ（２３ｂ，２３ｃ）に対応する部分の断面図である。固定筒２３のフランジ部２３ａ，２３ｂ，２３ｃは、前玉鏡筒２１のフランジ部２１ａ，２１ｂ，２１ｃと面２１ｇとの間に挿入されており、前玉鏡筒２１の偏芯調整の際に、光軸直交方向におけるスペースｔの分だけ前玉鏡筒２１を固定筒２３に対して光軸直交方向に移動（偏芯調整移動）させることができる。
【００３４】
固定筒２３のフランジ部２３ａ，２３ｂ，２３ｃと、前玉鏡筒２１のフランジ部２１ａ，２１ｂ，２１ｃおよび面２１ｇの間には前玉鏡筒２１の偏芯調整移動を許容するための若干の隙間が設けられているが、偏芯調整時には、後述するように、固定筒２３のフランジ部２３ａ，２３ｂ，２３ｃに対して前玉鏡筒２１の面２１ｇを当接（片寄せ）させることにより、前玉鏡筒２１の固定筒２３に対する光軸方向移動を阻止した状態、つまりは前玉鏡筒２１を固定筒２３に対して機械的に光軸方向位置決めした状態で前玉鏡筒２１を固定筒２３に対して偏芯調整移動させることができる。
【００３５】
なお、固定筒２３のフランジ部２３ａ，２３ｂ，２３ｃ、前玉鏡筒２１のフランジ部２１ａ，２１ｂ，２１ｃおよび面２１ｇは、偏芯調整ガイド部を構成する。
【００３６】
図３（ｂ）は固定リング２２におけるくさび状断面を有する部分に対応する断面図である。２２ｄ，２２ｅ，２２ｆは固定リング２２における周方向３カ所に形成されたくさび状断面を有する部分（以下、くさび状部という）であり、各くさび状部の内径面は円筒面の一部となっている。
【００３７】
ここで、くさび状部２２ｄ，２２ｅ，２２ｆの断面形状は、固定リング２２の軸方向前側（図３（ｂ）中の左側）よりも後側（図３（ｂ）中の右側）の方が、固定リング２２の径方向における厚み（くさび状部２２ｄ，２２ｅ，２２ｆの厚み）が小さくなるように形成されている。さらに、このくさび状部２２ｄ，２２ｅ，２２ｆの外径面は、半径Ｒ２の凸状球面となっている。
【００３８】
なお、くさび状部２２ｄ，２２ｅ，２２ｆは、光軸を含む断面において矩形状の連結部２２ａ，２２ｂ，２２ｃにより周方向に連結され、固定リング２２は全体が一体のリング形状を有する。
【００３９】
２３ｄ，２３ｅ，２３ｆは固定リング２２のくさび状部２２ｄ，２２ｅ，２２ｆを受けるために固定筒２３の先端に形成された受け面である。この受け面２３ｄ，２３ｅ，２３ｆは、くさび状部２２ｄ，２２ｅ，２２ｆの外径面である凸状球面に対応する、半径Ｒ２の凹状球面となっている。また、２１ｈは前玉鏡筒２１の外周に形成された、固定リング２２のくさび状部２２ｄ，２２ｅ，２２ｆの内径面を受けるための受け面である。この受け面２１ｈは、鏡筒光軸上の点２１ｉを中心とした半径Ｒ１の凸状球面に形成されている。一方、固定リング２２の内径面の半径もＲ１である。
【００４０】
このため、固定リング２２は、点２１ｉを略中心として光軸直交方向に対して傾いた状態でも、くさび状部２２ｄ，２２ｅ，２２ｆの内径面を受け面２１ｈに、またくさび状部２２ｄ，２２ｅ，２２ｆの外径面を固定筒２３の受け面２３ｄ，２３ｅ，２３ｆに安定して当接させることができる。
【００４１】
したがって、前玉鏡筒２１を固定筒２３に対して偏芯調整移動させることによって前玉鏡筒２１の受け面２１ｈと固定筒２３の受け面２３ｄ，２３ｅ，２３ｆそれぞれとの間の隙間（光軸直交方向における隙間）に周方向での差が生じても、固定リング２２を傾かせることによってこの固定リング２２の内径面および外径面と受け面２１ｈおよび受け面２３ｄ，２３ｅ，２３ｆとを確実に当接させることができ、偏芯調整方向（光軸直交方向）について前玉鏡筒２１を固定筒２３に対して機械的に位置決めすることができる。
【００４２】
なお、前玉鏡筒２１の受け面２１ｈと固定筒２３の受け面２３ｄ，２３ｅ，２３ｆとが、請求の範囲にいうリング当接部に相当する。そして、このリング当接部と上記偏芯調整ガイド部とは、前玉鏡筒２１および固定筒２３において、略同一の光軸直交面上に周方向に交互に配置されている。
【００４３】
このため、リング当接部と偏芯調整ガイド部とを光軸方向にずらして配置する場合に比べて、これらにより構成される偏芯調整機構の光軸方向における配置スペースを小さくすることができる。
【００４４】
次に、図４（ａ），（ｂ），（ｃ）を用いて上記偏芯調整機構の機能について説明する。
【００４５】
まず、図４（ａ）は偏芯調整時における図３（ｂ）に対応する断面図である。
この図に示す状態では、固定リング２２は、前玉鏡筒２１の受け面２１ｈ上を光軸方向前側に退避しており、隙間２４の分だけ前玉鏡筒２１の固定筒２３に対する偏芯調整が可能となっている。
【００４６】
また、前玉鏡筒２１の外周前端側には、光軸に対して傾いた治具受け面２１ｊが周方向４カ所に形成されている。
【００４７】
２５は前玉鏡筒２１を偏芯調整移動させるための外付けの調整治具であり、固定筒２３の外周に固定される不図示の本体部と、前玉鏡筒２１の外側において光軸直交面上にて互いに直交する２方向から光軸に向かって延びる２本の付勢ピンと、これら付勢ピンのそれぞれに対向する方向から光軸に向かって延びる２本のマイクロメータヘッドとから構成されている。
【００４８】
そして、この調整治具２５の付勢ピンとマイクロメータヘッドを治具受け面２１ｊに当接させ、マイクロメータヘッドを伸縮させることにより、前玉鏡筒２１を固定筒２３に対して偏芯調整移動させることができる。
【００４９】
また、調整治具２５の先端は半球形状になっており、これを光軸に対して傾いた治具受け面２１ｊに当接させることで、前玉鏡筒２１の面２１ｇを固定筒２３のフランジ２３ａ，２３ｂ，２３ｃの前側の面（面２１ｇと対向する面）に圧接（片寄せ）させながら偏芯調整が可能となり、より正確な偏芯調整を行うことができる。
【００５０】
図４（ｂ），（ｃ）はそれぞれ、図４（ａ）に示す状態に対して前玉鏡筒２１を図中下方向および上方向にｘだけ偏芯させた後、前玉鏡筒２１の前方から調整治具２５とは別の治具を用いて、固定リング２２を点２１ｉを略中心として傾かせながら光軸方向後方に押し、固定リング２２の内径面及び外径面のそれぞれが受け面２１ｈ，２３ｄに当接する固定位置まで移動させた状態を示している。
【００５１】
図４（ｂ）では、前玉鏡筒２１が下方向に偏芯しているので、前玉鏡筒２１および固定筒２３の受け面２１ｈ、２３ｄ間の隙間のうち上側の方が下側よりも広くなっている。このため、固定リング２２の上側のくさび状部は、図４（ｃ）に示す位置よりも後方（図４中の右方向）まで挿入される。
【００５２】
ここで、図４（ｂ），（ｃ）はそれぞれ、光軸から上側のみを示しているが、図４（ｃ）は図４（ｂ）の光軸を挟んだ反対側（下側）の断面にも対応している。すなわち、前玉鏡筒２１の固定筒２３に対する偏芯調整後に、点２１ｉを略中心として傾かせた固定リング２２を受け面２１ｈ，２３ｄの間の隙間に嵌合するように挿入することにより、前玉鏡筒２１を固定筒２３に対して偏芯調整後の位置で位置決めすることができる。
【００５３】
こうして固定リング２２を受け面２１ｈ，２３ｄの間の隙間に嵌合させた後、前玉鏡筒２１と固定リング２２と固定筒２３との各当接部分（上述した偏芯ガイド部同士やリング当接部と中間リングとの間）を接着もしくは溶着により固定することで、あらゆる外的条件に対しても偏芯調整後のレンズ位置を保持することが可能となる。
【００５４】
特に、各部品をプラスチック製とする場合は、溶着により完全に一体化が可能となり、信頼性をさらに高めることができる。
【００５５】
なお、本実施形態にて説明した各部品の構成や形状は例にすぎず、本発明の機能ないし効果を達成できるものであれば、他の構成や形状を採用してもよい。
【００５６】
【発明の効果】
以上説明したように、本発明によれば、レンズ保持筒は光軸方向については偏芯調整ガイド部により、また光軸直交方向（偏芯調整方向）には中間リング（くさび状部）とリング当接部との当接により支持筒に対して機械的に位置決めされるので、容易に偏芯調整状態を維持したまま支持筒に対してレンズ保持筒を接着固定又は溶着固定することができる。しかも、接着固定後又は溶着固定後において衝撃や環境変化等により偏芯調整状態がずれにくいレンズ鏡筒とすることができる。
【００５７】
なお、中間リング（くさび状部）の内径面に当接するリング当接部を、中間リングの傾き中心を中心とする球面形状に形成したり、中間リング（くさび状部）の外径面を凸球面形状に形成するとともに中間リング（くさび状部）の外径面に当接するリング当接部を上記凸球面形状に対応する凹球面形状に形成したりすれば、中間リング（くさび状部）の内径面及び外径面とリング当接部との安定した当接状態を確保することができる。
【００５８】
また、偏芯調整ガイド部およびリング当接部を光軸直交面上にて周方向で交互に形成するとともに、くさび状部をリング当接部に対応するよう周方向の複数箇所に形成すれば、これら偏芯調整機構に必要な光軸方向スペースを小さくし、レンズ鏡筒の大型化を抑えることができる。
【００５９】
また、レンズ保持筒の外周に、光軸に対して傾斜し、偏芯調整に用いられる治具が押圧されたときに、レンズ保持筒を光軸方向における支持筒側に移動させる力を発生させるための治具受け面を形成しておけば、偏芯調整中に偏芯調整ガイド部における光軸方向へのがたつきを防止でき、より正確な偏芯調整を行うことができる。
【図面の簡単な説明】
【図１】本発明の実施形態であるレンズ鏡筒全体の分解斜視図。
【図２】上記レンズ鏡筒の前玉鏡筒ユニットの分解斜視図。
【図３】上記前玉鏡筒ユニットにおける偏芯ガイド部を説明する断面図（ａ）と、リング当接部および固定リングを説明する断面図（ｂ）。
【図４】上記前玉鏡筒ユニットにおける偏芯調整を説明する図。
【符号の説明】
１  前玉鏡筒ユニット
２  移動枠
３  シフトユニット
４  移動枠
５  後部鏡筒
６，７，８  ガイドバー
９  絞り装置
１０  リードスクリュー
１１  ステッピングモータステータユニット
１２  リードスクリュー
１３  ステッピングモータステータユニット
１４，１５  フォトインタラプタ
２１  前玉鏡筒
２２  固定リング
２３  固定筒
【図１】
0004612764.tif 000002
【図２】
0004612764.tif 000003
【図３】
0004612764.tif 000004
【図４】
0004612764.tif 000005